(57)【要約】【課題】  弾性機能を有するフック部を設けることで、施錠解錠のロック操作部の不透明なカバーの着脱が、特別な鍵等は必要とせずに、素手にて容易に操作ができ、簡単に戸の開閉が可能な解錠防止具を提供することにある。【解決手段】  第１の引戸の竪框１５に取り付けられたベースプレート２０に軸２２に回動自在に枢支され、一端部にレバー８４を有するクレセント８３と、第２の引戸の竪框１６に固着されたクレセント受け部２８との掛止又は離脱をさせて、施錠と解錠を規制するロック操作部（ロックアーム）２６とを有する第１のクレセント形ロック１９において、ロック操作部（ロックアーム）２６を覆う、不透明の箱状のカバー体２を一対のフック１１，１２にて、着脱自在に設けた解錠防止具１である。【選択図】  図３
2006241712.tif 000002
【特許請求の範囲】
【請求項１】
軸にて回動自在に枢支され、一端部に施錠と解錠のためのレバーを形成され、他端部をストッパーに当接されたクレセントと、前記クレセント及び前記レバーの回動を規制する二重ロック用のロック操作部とを有するベースプレートを第１の引戸の竪框に取り付け、第２の引戸の竪框に設けられた前記クレセントと係合又は脱却するクレセント受け部とからなるクレセント形ロックにおいて、
略四辺形の一辺側に大きな切り欠き凹部を設けた不透明の平面部と、前記平面部に連設して他の三辺側に各々不透明の側面部を設け、前記第１の引戸の竪框に取り付ける面と前記一辺側の側面とを開口した不透明な箱状のカバー体と、前記一辺側の開口に対向する前記側面部の内側面に一対の取付溝を設け、取付基部から延在させた腕部と先端の鉤部とからなるフックを、互いに前記鉤部同士を対向させ、前記一対の取付溝部に夫々前記取付基部を嵌着させて、前記一辺側の側面の開口に前記鉤部を臨ませた一対のフックとからなり、前記一辺側の大きな切り欠き凹部を前記ベースプレートに跨乗させた前記平面部の端部を、前記クレセントの一端部の前記レバーと前記ベースプレートとの隙間及び前記クレセントの他端部と前記ベースプレートとの隙間とに挿着して、前記ロック操作部を覆い、且つ、前記一対のフックにより前記ベースプレートに掛止又は離脱可能にして着脱自在になされたカバー体を設けたことを特徴とする解錠防止具。
【請求項２】
軸にて回動自在に枢支され、一端部に施錠と解錠のためのレバーを形成され、他端部をストッパーに当接されたクレセントと、前記クレセント及び前記レバーの回動を規制し、前記クレセントの軸と同心軸を有する二重ロック用のロック操作部とを有するベースプレートを第１の引戸の竪框に取り付け、第２の引戸の竪框に設けられた前記クレセントと係合又は脱却するクレセント受け部とからなるクレセント形ロックにおいて、
略四辺形の不透明の平面部と、この平面部に連設して一方の辺側を除いた他の三辺側に各々不透明の側面部を設け、引戸の竪框に取付ける面と前記一方の辺側の側面を開口した不透明な箱状のカバー体と、前記一方の辺側の開口に対向する側面部の内側面に一対の取付溝部を設け、取付基部から延在させた腕部と先端の鉤部からなる一方のフックと、取付基部から延在させた腕部と先端部の鉤部と、この腕部の途中に係止片とを設けてなる他方のフックとを、互いに前記先端部の鉤部同士を対向させて、前記一対の取付溝部に夫々前記取付基部を嵌着させて、前記一方の辺側の側面側の開口に一方のフックと他方のフックの夫々の前記鉤部を臨ませた一対のフックとからなり、前記平面部を前記ロック操作部に被せ、且つ、前記クレセントの一端部の前記レバーと前記ベースプレートとの隙間に一方のフックを挿通させ、前記クレセントの他端部と前記ベースプレートとの隙間に前記他方のフックの係止片を挿着させると共に、前記一対のフックにより前記ベースプレートに掛止又は離脱可能にして、着脱自在になされた前記カバー体を設けたことを特徴とする解錠防止具。
【発明の詳細な説明】
【技術分野】
【０００１】
本発明は、施錠具のロック操作部をカバーで覆うことによって、直接手でロックを解除できない解錠防止具に関する。
【背景技術】
【０００２】
従来、解錠防止具には操作杆（レバー）によりクレセントを回動させてクレセント受けに掛止させ、そしてこの操作杆（レバー）をロックさせ、所謂、二重ロック機能を有していた。更に、このロック部を手で直接に作動させ得ないようにカバーを付けており、このカバーにダイアル式鍵を用いて取付けたり、このカバーをねじにより締着させたりして、二重ロックを保護していた。そして、この二重ロックの施錠や解錠には、ダイアル式鍵番号を知らなければならなかったり、隙間から操作する特殊な鍵を必要としていたりという不便さが存在していた。
【０００３】
なお、本願発明に関連する公知技術として次の特許文献１及び２を挙げることが出来る。
【０００４】
【特許文献１】特開平６―５８０２６号公報
【特許文献２】特開平１１―２７０２０２号公報
【発明の開示】
【発明が解決しようとする課題】
【０００５】
上述の如く、従来技術に係る解錠防止具は、この二重ロックの施錠や解錠には、一方はダイアル式鍵番号を知らなければならなかったり、他方は隙間から操作する特殊な鍵を必要としていたという不便さが存在していた。もし、家人が屋内にいてもダイアル式鍵番号を失念したり全く知らなかったりした場合や、隙間から操作する特殊な鍵を紛失した場合には、家の内側から施錠具のロック部を覆っているカバーを取外すことが出来ず、そのために直接手でロックを解除できず、火災等の緊急避難時の対応に困難をきたすおそれがあり、家内の安全の確保が難しかった。
【０００６】
近年、長寿国の日本において６５歳以上の老人の人口比率が高くなり、当然、認知症（旧痴呆症）を患っている老人もかなりの数に上る。同居中の老人が、夜中は勿論、日中にも家人の一寸目を離した隙に、戸を開けて外に出ていって徘徊し、行方知れずとなり警察に
捜してもらう等の他人に迷惑をかけたり、交通事故に遭遇するような危険がある。同様に幼児が解錠操作を覚えると、保護者が気付かない内に一人で戸を開けて外に出てしまい交通事故等の危険に巻込まれるおそれがある。そこで、従来のダイアル式鍵付きカバーの解錠防止具を戸に設置すると、認知症の老人は、自分の人格を否定されたことと考え、家人に対して、自分を虐めないでほしいと泣きながら訴えることがよくある。
【０００７】
このため、いかにも認知症の老人を閉じ込めておくと言うような、一方のダイアル式鍵付きカバーの解錠防止具のようなものは、人権を尊重する観点からも使用できない。そして、他方の二重ロックのカバーをねじにより締着させて、隙間から操作する特殊な鍵を必要とする解錠防止具は、特殊な鍵を使うので、この鍵を紛失するおそれがあるために不便であり、この一方の二重ロックのカバーをねじにより締着させた解錠防止具の使用もできない。そこで、認知症の老人や幼児が外に出たい時に自分では解錠操作ができずに、家人に戸を開けてほしいと依頼し、家人により特別な鍵等は必要とせずに、素手にて容易に施錠解錠操作ができ、簡単に戸の開閉が可能であり、且つ、この場合には、認知症の老人も幼児も家人が見守ることが出来るために安心安全である、このような解錠防止具が望まれていた。
【０００８】
本発明は、このような点に鑑みてなされたものであり、その目的は、弾性機能を有するフック部を設けることで、施錠解錠の操作部の不透明なカバーの着脱が、特別な鍵等は必要とせずに、素手にて容易に操作ができ、簡単に戸の開閉が可能な解錠防止具を提供することにある。
【課題を解決するための手段】
【０００９】
上述の目的を達成するために、請求項１の発明は、軸にて回動自在に枢支され、一端部に施錠と解錠のためのレバーを形成され、他端部をストッパーに当接されたクレセントと、前記クレセント及び前記レバーの回動を規制する二重ロック用のロック操作部とを有するベースプレートを第１の引戸の竪框に取り付け、第２の引戸の竪框に設けられた前記クレセントと係合又は脱却するクレセント受け部とからなるクレセント形ロックにおいて、
略四辺形の一辺側に大きな切り欠き凹部を設けた不透明の平面部と、前記平面部に連設して他の三辺側に各々不透明の側面部を設け、前記第１の引戸の竪框に取り付ける面と前記一辺側の側面とを開口した不透明な箱状のカバー体と、前記一辺側の開口に対向する前記側面部の内側面に一対の取付溝を設け、取付基部から延在させた腕部と先端の鉤部とからなるフックを、互いに前記鉤部同士を対向させ、前記一対の取付溝部に夫々前記取付基部を嵌着させて、前記一辺側の側面の開口に前記鉤部を臨ませた一対のフックとからなり、前記一辺側の大きな切り欠き凹部を前記ベースプレートに跨乗させた前記平面部の端部を、前記クレセントの一端部の前記レバーと前記ベースプレートとの隙間及び前記クレセントの他端部と前記ベースプレートとの隙間とに挿着して、前記ロック操作部を覆い、且つ、前記一対のフックにより前記ベースプレートに掛止又は離脱可能にして着脱自在になされたカバー体を設けたことを特徴とする解錠防止具である。
【００１０】
上記請求項１の発明の場合、前記クレセント２３と前記レバーの回動を規制する二重ロック用のロック操作部と、を備えたクレセント形ロックを、第１の引戸の竪框に、取付部とねじにて固着された前記ベースプレートと、このロック操作部を見えないように覆い、前記ベースプレートに一対のフックにて掛止又は離脱可能に取付けられたことを特徴とする解錠防止部である。ロック操作部が見えないために認知症の老人や幼児が外に出たい時に自分では解錠操作ができずに、家人に戸を開けてほしいと依頼し、家人により特別な鍵等は必要とせずに、これにより上下一対のフックの腕部と、鉤部とが共同でクレセント形ロックのベースプレートを掛止する解錠防止具を素手にて容易に着脱することができる。そして容易に施錠解錠操作ができ、簡単に戸の開閉が可能であり、且つ、この場合には、認知症の老人も幼児も家人が見守ることが出来るために安心安全である
【００１１】
請求項２の発明では、軸にて回動自在に枢支され、一端部に施錠と解錠のためのレバーを形成され、他端部をストッパーに当接されたクレセントと、前記クレセント及び前記レバーの回動を規制し、前記クレセントの軸と同心軸を有する二重ロック用のロック操作部（ロックダイアル）とを有するベースプレートを第１の引戸の竪框に取り付け、第２の引戸の竪框に設けられた前記クレセントと係合又は脱却するクレセント受け部とからなるクレセント形ロックにおいて、
略四辺形の不透明の平面部と、この平面部に連設して一方の辺側を除いた他の三辺側に各々不透明の側面部を設け、引戸の竪框に取付ける面と前記一方の辺側の側面を開口した不透明な箱状のカバー体と、前記一方の辺側の開口に対向する側面部の内側面に一対の取付溝部を設け、取付基部から延在させた腕部と先端の鉤部からなる一方のフックと、取付基部から延在させた腕部と先端部の鉤部と、この腕部の途中に係止片とを設けてなる他方のフックとを、互いに前記先端部の鉤部同士を対向させて、前記一対の取付溝部に夫々前記取付基部を嵌着させて、前記一方の辺側の側面側の開口に一方のフックと他方のフックの夫々の前記鉤部を臨ませた一対のフックとからなり、前記平面部を前記ロック操作部（ロックダイヤル）に被せ、且つ、前記クレセントの一端部の前記レバーと前記ベースプレートとの隙間に一方のフックを挿通させ、前記クレセントの他端部と前記ベースプレートとの隙間に前記他方のフックの係止片を挿着させると共に、前記一対のフックにより前記ベースプレートに掛止又は離脱可能にして、着脱自在になされた前記カバー体を設けたことを特徴とする解錠防止具である。
【００１２】
請求項２の発明の場合、前記平面部を前記ロック操作部（ロックダイヤル）に被せ、且つ、前記クレセントの一端部の前記レバーと前記ベースプレートとの隙間に一方のフックを挿通させ、前記クレセントの他端部と前記ベースプレートとの隙間に前記他方のフックの係止片を挿着させると共に、前記一対のフックにより前記ベースプレートに掛止又は離脱可能にして、着脱自在になされた前記カバー体を設けたことを特徴とする解錠防止具であり、ロック操作部２６が見えないために認知症の老人や幼児が外に出たい時に自分では解錠操作ができずに、家人に戸を開けてほしいと依頼し、家人により特別な鍵等は必要とせずに、これにより上下一対のフックの腕部と、鉤部とが共同でクレセント形ロックのベースプレートを掛止する解錠防止具を素手にて容易に着脱することができる。そして容易に施錠解錠操作ができ、簡単に戸の開閉が可能であり、且つ、この場合には、認知症の老人も幼児も家人が見守ることが出来るために安心安全である。
【発明の効果】
【００１３】
請求項１の発明によれば、前記クレセントと前記レバーの回動を規制する二重ロック用のロック操作部と、を備えたクレセント形ロックを、第１の引戸の竪框に、取付部とねじにて固着された前記ベースプレートと、このロック操作部を見えないように覆い、前記ベースプレートに一対のフックにて掛止又は離脱可能なカバー体とを含むことを特徴とする解錠防止部である。ロック操作部が見えないために認知症の老人や幼児が外に出たい時に自分では解錠操作ができずに、家人に戸を開けてほしいと依頼し、家人により特別な鍵等は必要とせずに、これにより上下一対のフックの腕部と、鉤部とが共同でクレセント形ロックのベースプレートを掛止する解錠防止具を素手にて容易に着脱することができる。そして容易に施錠解錠操作ができ、簡単に戸の開閉が可能であり、且つ、この場合には、認知症の老人も幼児も家人が見守ることが出来るために安心安全である。
【００１４】
請求項２の発明によれば、二重ロック用のロック操作部であるロックダイアルが見えないように前記平面部とこの平面部に連設された前記一辺側の開口に対向する側面部とにより被着させたことを特徴とする解錠防止具であり、ロック操作部（ロックダイアル）が見えないために認知症の老人や幼児が外に出たい時に自分では解錠操作ができずに、家人に戸を開けてほしいと依頼し、家人により特別な鍵等は必要とせずに、これにより上下一対のフックの腕部と、鉤部とが共同でクレセント形ロックのベースプレートを掛止する解錠防止具を素手にて容易に着脱することができる。そして容易に施錠解錠操作ができ、簡単に戸の開閉が可能であり、且つ、この場合には、認知症の老人も幼児も家人が見守ることが出来るために安心安全である。
【発明を実施するための最良の形態】
【００１５】
以下、本発明の実施の形態を図面を参照しながら詳細に説明する。
【００１６】
図１〜図１２は、本発明の実施の形態に係り、そして、図１〜図９は、引き違い戸の左方の引戸を示して説明しているが、右方の引戸も図１〜図９と左右対称に表れるので、左右読替ればよいので、図１〜図９に対称的な右方の引戸は、図面と説明を省略する。同様に、図１０〜図１２は、引き違い戸の右方の引戸を示して説明しているが、左方の引戸も図１０〜図１２と左右対称に表れるので、左右読替ればよいので、図１０〜図１２に対称的な左方の引戸は、図面と説明を省略する。
【００１７】
図１は、本発明の第１の実施の形態の引戸の施錠部分を示す。図１の（ａ）は、引戸の施錠部分の正面図であり、図１の（ｂ）は、図１の（ａ）の右側面図である。図１を参照して、第１の引戸の竪框１５において、第１のクレセント形ロック１９が、ベースプレート２０の取付部２０ｂにてねじ２１により固着されている。
【００１８】
この第１のクレセント形ロック１９は、ベースプレート２０に、クレセント２３が軸２２により回動自在に枢支され、このクレセント２３の一端にはレバー２４が形成され、クレセント２３の他端（図１、図２においては下方先端）の近傍では前記ベースプレート２０に設けられているストッパ２０ａに当接して停止している。また、クレセント２３は、レバー２４により軸２２を中心に回転させることが出来る。
【００１９】
そして、施錠時には、このクレセント２３は、第２の引戸の竪框１６に設けられているクレセント受け部２８に掛止されており、ロック操作部であるロックアーム２６を下方のロック設定方向に摺動させると、クレセント２３が、ベースプレート２０内部の機構（図示されていない）により固定されて、レバー２４を操作してもクレセント２３が固定されていて回転させることが出来ず、クレセント２３とクレセント受け部２８との掛止は離脱させ得ない。所謂、二重ロックされている状態である。
【００２０】
そして、今度はロック操作部であるロックアーム２６を上方のロック解除方向に摺動させると、ベースプレート２０内部の機構が解放されて、レバー２４を操作してクレセント２３がクレセント受け部２８との掛止から解放させて、回転させることが出来る。このようにしてクレセント２３とクレセント受け部２８との掛止は離脱される。後述するように、この引戸の施錠部分に本発明に係る第１の解錠防止具１を用いるのである。
【００２１】
図２は、本発明の第１の実施の形態に係る第１の解錠防止具１を示す。図２の（ａ）は、本発明に係る第１の解錠防止具１の正面図である。図２の（ｂ）は、図２の（ａ）の右側面図を、図２の（ｃ）は、図２の（ａ）の背面図である。
【００２２】
略四辺形の一辺側に大きい切り欠き凹部３ａを設けた不透明の平面部３と、この平面部３に連設して他の三辺側に各々不透明の側板部（右側板４と、上側板５と、下側板６と）を設けて、第１の引戸の竪框１５に取付ける面と前記一辺側の側面を開口した不透明な箱状のカバー体２を形成している。そして、この平面部３に設けられている中央部の左方からの大きい切り欠き部３ａは、箱状のカバー体２を跨乗させるときに、後述する第１のクレセント形ロック１９のベースプレート２０との干渉防止のために設けられている。更に、平面部３と右側面部４との内側隅部に補強リブ９が２個所設けてある。この２個所の補強リブ９は、後述するように、第１の解錠防止具１が使用される場合に、この２個所の補強リブ９を、第１のクレセント形ロック１９のベースプレート２０の右側面部とに当接させて、ロック操作部であるロックアーム２６の保護をすると共に、第１の解錠防止具１と第１のクレセント形ロック１９との位置決めをも兼ねさせている。
【００２３】
前記一辺側の開口に対向する前記側面部（右側面部４）の内側面に一対の取付溝部（上Ｔ字形溝７と下Ｔ字形溝８と）を設けている。（一対の取付溝部は、図２の（ａ）の右側面部４の上下端であるが、図２（ｃ）の背面図では図２（ａ）と表裏や左右等が逆方向となる。）一方では取付基部（Ｔ字形基部１１ａ）とこの取付基部（Ｔ字形基部１１ａ）から延在させた腕部１１ｂと先端部の鉤部１１ｃとからなる上フック１１と、他方では取付基部（Ｔ字形基部１２ａ）とこの取付基部（Ｔ字形基部１２ａ）から延在させた腕部１２ｂと先端部の鉤部１２ｃとからなる下フック１２とを、互いに前記先端部の前記鉤部１１ｃ、１２ｃ同士を対向させて、前記一対の取付溝部（上Ｔ字形溝７と下Ｔ字形溝８と）に前記取付基部（Ｔ字形基部１１ｂ，１２ｂ）を夫々下方から嵌着させ（上Ｔ字形溝７にＴ字形基部１１ｂを、下Ｔ字形溝８にＴ字形基部１２ｂを）て、一対のフック（上フック１１と下フック１２）を備えた解錠防止具１である。
【００２４】
そして、前記引戸の竪框１５に固着されたベースプレート２０と、このベースプレート２０に軸２２にて回動自在に枢支されたクレセント２３と、このクレセント２３の一端部に形成された、施錠及び解錠用のレバー２４とを備えている。このクレセント２３の下端は前記ベースプレート２０に設けられているストッパ２０ａに当接して停止している。そして、前記クレセント２３と前記レバー２４の回動を規制する二重ロック用のロック操作部であるロックアーム２６とを備えたクレセント形ロック１９の前記ロック操作部（ロックアーム）２６に、前記平面部３とこの平面部３に連設された前記一辺側の開口に対向する側面部（右側面部４）とによるカバー体２の部分を被着させて見えなくすると共に、前記一対のフック（上フック１１と下フック１２）を有する前記カバー体２を前記ベースプレート２０に掛止又は離脱可能になしたことを特徴とする解錠防止具１である。これは、上下のフック１１，１２の腕部１１ｂ、１２ｂの先端の鉤部１１ｃ、１２ｃとが共同でベースプレート２０を掛止する。掛止する力は、上下のフック１１，１２の弾性力を適度に設定すればよい。
【００２５】
そしてこれらの先端の鉤部１１ｃ、１２ｃの大きさは、掛止される相手部材のベースプレート２０の隅肉部の半径（Ｒ）の大きさに対応させる必要があり、この上Ｔ字形溝７に上フック１１のＴ字形基部１１ａを、下Ｔ字形溝８に下フック１２のＴ字形基部１２ａを、夫々上Ｔ字形溝７と下Ｔ字形溝８とに下方から嵌着させてあり、着脱可能なので、交換容易となっていて、大きさ等の形状の異なる第１のクレセント形ロック１９に容易に対応できる。
【００２６】
図３は、本発明の第１の実施の形態に係る引戸の施錠部分に第１の解錠防止具１を用いた図を示す。図３の（ａ）は、第１の解錠防止具１を用いた引戸の施錠部分の正面図であり、図３の（ｂ）は、図（ａ）の右側面図である。図３を参照して、前記第１のクレセント形ロック１９の固着されている前記第１の引戸の竪框１５の面に沿わせ、前記第１のクレセント形ロック１９の前記クレセント２３の一端に設けられている前記レバー２４と前記ベースプレート２０との隙間、及び、前記クレセント２３の他端（図１、図２においては下方先端）と前記第１のクレセント形ロック１９の前記ベースプレート２０との隙間、に不透明の前記カバー体２の前記平面部３を挿着し、前記第１のクレセント形ロック１９のロック操作部（ロックアーム）２６に被着させて見えないようにさせると共に、不透明の前記カバー体２に弾性機能を有し互いに鉤部１１ｃを対向させた前記一対の（上下の）フック１１，１２を設けて、前記一対のフック１１，１２により前記ベースプレート２０に着脱可能に挟持させ掛止したことを特徴とする第１の解錠防止具１である。
【００２７】
一部前述と重複するが、本発明の第１の解錠防止具１によれば、弾性機能を有する上下のフック１１，１２を不透明の前記カバー体２に対向配設して、この一対のフック１１，１２により前記ベースプレート２０に着脱可能に挟持させ掛止し、前記カバー体２をなす平面部３と連設する右側面部４とにより、前記第１のクレセント形ロック１９のロック操作部（ロックアーム）２６に被着させて、家の中に居る人からロック操作部（ロックアーム）２６が見えないように覆った不透明のカバー体２からなることを特徴とする第１の解錠防止具１を、引戸１５の施錠部分に着脱自在に挿着する。
【００２８】
これにより、第１の解錠防止具１の取外し操作を知らない家の中に居る認知症の老人や、幼児が外に出たい時に自分では解錠操作ができずに、家人に戸を開けてほしいと依頼し、家人により特別な鍵等は必要とせずに、第１の解錠防止具１の取外し操作を老人や幼児に見られないようにして、素手にて容易に第１の解錠防止具１を取外してから解錠操作し、簡単に戸を開けられるために、外出時に認知症の老人も幼児も家人が見守ることが出来て、交通安全が守れたり、徘徊による行方不明にならずに、安全で、安心出来て便利である。
【００２９】
施錠してからロック操作部（ロックアーム）２６への第１の解錠防止具１の装着も、特別な鍵等は必要とせずに、第１の解錠防止具１の挿着操作を老人や幼児に見られないようにして、素手にて容易に挿着ができ、簡単に戸の施錠部への覆設が可能な第１の解錠防止具１であり、取扱が容易であり、家の中に居る認知症の老人や、幼児に保護者の目が行き届いて安全で、安心出来て便利である。
【００３０】
本発明の第２の実施の形態に係り、図４は、引戸の施錠部分を示す。図４の（ａ）は、引戸の施錠部分の正面図であり、図４の（ｂ）は、図４の（ａ）の右側面図である。図４を参照して、第３の引戸の竪框４５において、第２のクレセント形ロック４９が、ベースプレート５０の取付部５０ｂにてねじ５１により固着されている。
【００３１】
この第２のクレセント形ロック４９は、ベースプレート５０に、クレセント５３が軸５２により回動自在に枢支され、このクレセント５３の一端にはレバー５４が形成され、クレセント５３の他端（図４、図５においては下方先端）の近傍では前記ベースプレート５０に設けられているストッパ５０ａに当接していて停止している。また、クレセント５３は、レバー５４により軸５２を中心に回転させることが出来る。
【００３２】
そして、施錠時には、このクレセント５３は、第４の引戸の竪框４６に設けられているクレセント受け部５８に掛止されており、ロック操作部（ロックアーム）５６を下方のロック設定方向に摺動させると、クレセント５３が、ベースプレート５０内部の機構により固定されて、レバー５４を操作してもクレセント５３が固定されていて回転させることが出来ず、クレセント５３とクレセント受け部５８との掛止は離脱させ得ない。所謂、二重ロックされている状態である。
【００３３】
そして、今度はロック操作部（ロックアーム）５６を上方のロック解除方向に摺動させると、ベースプレート５０内部の機構が解放され、レバー５４を操作してクレセント５３が解放され、回転させることが出来、クレセント５３とクレセント受け部５８との掛止は離脱させ得る。後述するように、この引戸の施錠部分に本発明に係る第２の解錠防止具２を用いるのである。
【００３４】
図５は、本発明に係る第２の解錠防止具２を示す。図５の（ａ）は、本発明に係る第２の解錠防止具３１の正面図である。図５の（ｂ）は、図５の（ａ）の右側面図を、図５の（ｃ）は、図５の（ａ）の背面図である。
【００３５】
図５を参照して、第２の解錠防止具２は、中央部に左方からの大きく切り欠き凹部３３ａを有する第１の平面部３３があり、この第１の平面部３３の上方部分は延在して斜面部３３ｃと、これに続いて第２の平面部３３ｂとを連設している。そしてこの斜面部３３ｃと第２の平面部３３ｂとを含む前記第１の平面部３３と、この第１の平面部３３の三方に連設された、右側面部３４と、上側面部３５と、そして下側面部３６とにより箱状をなすカバー体３２を形成している。このカバー体３２が不透明材料製で、内部の上フック４１第１の平面部３３が覆いかぶされていて、外部から見えないように成っていて、取外し方が一見して分からない様に工夫されている。そして、この平面部３３に設けられている中央部の左方からの大きい切り欠き凹部３３ａは、第１の平面部３３を第２のクレセント形ロックに跨乗させる時に、後述する第２のクレセント形ロック４９のベースプレート５０との干渉防止のために設けられている。
【００３６】
更に、平面部３３と右側面部３４との内側隅部に補強リブ３９が３個所設けてある。この３個所の補強リブ３９は、後述するように、第２の解錠防止具２が使用される場合に、この３個所の補強リブ３９を、第２のクレセント形ロック４９のベースプレート５０の右側面部とに当接させて、ロック操作部（ロックアーム）５６を保護すると共に、第２の解錠防止具３１と第２のクレセント形ロック４９との位置決めをする役目も兼ねている。
【００３７】
そして、図５（ａ）の右上と左下との下端面側に一対の取付溝である上Ｔ字形溝３７と下Ｔ字形溝３８とを有し、この上Ｔ字形溝３７には上フック４１の取付基部（Ｔ字形基部）４１ａを、下Ｔ字形溝３８には下フック４２の取付基部（Ｔ字形基部）４２ａを、夫々上Ｔ字形溝３７と下Ｔ字形溝３８とに下方から嵌着させて、左方に延在させて設けてある（図５（ｃ）の背面図では図５（ａ）と表裏や左右等は逆方向となる）。上フック４１の腕部４１ｂの先端には、鉤部４１ｃが内側に向けて設けてあり、これと対向して、下フック４２の腕部４２のｂ先端にも、鉤部４２ｃが内側に向けて設けてある。上下のフック４１，４２の腕部４１ｂ、４２ｂと鉤部４１ｃ、４２ｃとが共同でベースプレート５０を掛止する。掛止する力は、上下のフック４１，４２の弾性力を適度に設定すればよい。
【００３８】
これらの鉤部４１ｃ、４２ｃが内側に大きく向けて設けてあるのは、掛止される相手部材のベースプレート５０の隅肉部の半径（Ｒ）に対応して大きめに設定されているからである。この鉤部４２ｃの大きさは、掛止される相手部材のベースプレート５０の隅肉部の半径（Ｒ）の大きさに対応させる必要があり、この取付溝（上Ｔ字形溝）３７に上フック４１の取付基部（Ｔ字形基部）４１ａを、取付溝（下Ｔ字形溝）３８に下フック４２の取付基部（Ｔ字形基部）４２ａを、夫々上Ｔ字形溝３７と下Ｔ字形溝３８とに下方から嵌着させてあり、着脱可能なので、交換容易となっている。
【００３９】
図６は、図４の引戸の施錠部分に本発明に係る第２の解錠防止具３１を使用した図を示す。図６の（ａ）は、第２の解錠防止具３１を用いた引戸の施錠部分の正面図であり、図６の（ｂ）は、図（ａ）の右側面図である。図６を参照して、第２のクレセント形ロック４９の固着されている第３の引戸の竪框４５の面に沿わせ、第２のクレセント形ロック４９のクレセント５３の一端に設けられているレバー５４とベースプレート５０との隙間、及び、クレセント５３の他端（図４、図６においては下方先端）と第２のクレセント形ロック４９のベースプレート５０との隙間、とに第１の平面部３３の左方先端部分を挿着し、そして、この平面部３３に設けられている中央部の左方からの大きい切り欠き凹部３３ａは、第１の平面部３３を第２のクレセント形ロックに跨乗させる時にベースプレート５０との、干渉を防止する。更に、互いに対向して設けられている上下のフック４１，４２にてベースプレート５０を着脱可能に挟持させ掛止し、前記第１の平面部と連設する右側面部３４とにより、第２のクレセント形ロック４９のロック操作部（ロックアーム）５６に被着させるようにした不透明の材料製のカバー体３２からなることを特徴とする第２の解錠防止具３１である。
【００４０】
これにより、第２の解錠防止具３１の取外し操作を知らない認知症の老人や、幼児が外に出たい時に自分では解錠操作ができずに、家人に戸を開けてほしいと依頼し、家人により特別な鍵等は必要とせずに、第２の解錠防止具３１の取外し操作を老人や幼児に見られないようにして、素手にて容易に第２の解錠防止具３１を取外してから解錠操作し、簡単に戸を開けてやれるために、認知症の老人も幼児も外出時に家人が見守ることが出来て、交通安全が守れたり、徘徊による行方不明にならずに、安全で、安心出来て便利である。
【００４１】
施錠時のロック操作部５６のカバー体３２の装着も、特別な鍵等は必要とせずに、第２の解錠防止具３１の挿着操作を認知症の老人や幼児に見られないようにして、素手にて容易に挿着ができ、簡単に戸の施錠部の覆設が可能な第２の解錠防止具２であり、安全で、安心出来て便利である。
【００４２】
本発明の実施の形態に係り、図７は、引戸の施錠部分を示す。図７の（ａ）は、引戸の施錠部分の正面図であり、図７の（ｂ）は、図（ａ）の右側面図である。図７を参照して、第５の引戸の竪框７５において、第３のクレセント形ロック７９が、ベースプレート８０の取付部８０ｂにてねじ８１により固着されている。
【００４３】
この第３のクレセント形ロック７９は、ベースプレート８０に、クレセント８３が軸８２により回動自在に枢支され、このクレセント８３の一端にはレバー８４が形成され、クレセント８３の他端（図７、図９においては下方先端）の近傍では前記ベースプレート８０に設けられているストッパ８０ａに当接していて停止している。また、クレセント８３は、レバー８４により軸８２を中心に回転させることが出来る。
【００４４】
そして、施錠時には、このクレセント８３は、第６の引戸の竪框７６に設けられているクレセント受け部８８に掛止されており、ロック操作部（シーソー形のロックボタン）８６を上方向のロック設定方向に押下すると、クレセント８３が、ベースプレート８０の内部の機構のロックにより固定されて、レバー８４を操作してもクレセント８３が固定されていて回転させることが出来ず、クレセント８３とクレセント受け部８８との掛止は離脱させ得ない。所謂、二重ロックされている状態が保たれる。
【００４５】
そして、今度はロック操作部（シーソー形のロックボタン）８６を下方向のロック解除方向に押下させると、ベースプレート８０の内部の機構のロックが解放されて、レバー８４を操作してクレセント８３が解放されて、回転させることが出来、クレセント８３とクレセント受け部８８との掛止は離脱させ得る。後述するように、この引戸の施錠部分に本発明に係る第３の解錠防止具６１を用いるのである。
【００４６】
図８は、本発明に係る第３の解錠防止具３を示す。図８の（ａ）は、本発明に係る第３の解錠防止具３の正面図である。図８の（ｂ）は、図８の（ａ）の右側面図を、図８の（ｃ）は、図８の（ａ）の背面図である。
【００４７】
図８を参照して、第３の解錠防止具６１は、中央部に左方からの大きく第１の切り欠き凹部６３ａを有する平面部６３があり、そして、上端左方には小さな切り欠き凹部６３ｂが設けられている。この平面部６３の三方に、右側面部６４、上側面部６５、そして下側面部６６を連設された箱状をなすカバー体６２を形成している。この平面部６３に設けられている中央部の左方からの大きい切り欠き凹部６３ａは、後述する箱状をなすカバー体６２を跨乗させる時に第３のクレセント形ロック７９のベースプレート８０との干渉防止の、そして、上端左方の小さな切り込み部６３ｂは、レバー８４との干渉防止のために、各々設けられている。そして、更に、平面部６３と右側面部６４との内側隅部に補強リブ６９が２個所設けてある。この２個所の補強リブ６９は、後述するように、第３の解錠防止具６１が使用される場合に、この２個所の補強リブ６９を、第３のクレセント形ロック７９のベースプレート８０の右側面部に当接させて、ロック操作部（シーソー形のロックボタン）８６を保護すると共に、第３の解錠防止具６１と第３のクレセント形ロック７９との位置決めをする役目も兼ねている。
【００４８】
そして、図８（ａ）の右側面部６４の内側の中ほどの２箇所の位置に、一対の取付溝（上Ｔ字形溝６７と下Ｔ字形溝６８と）を設け、この取付溝（上Ｔ字形溝）６７には上フック７１の取付基部（Ｔ字形基部）７１ａを、取付溝（下Ｔ字形溝）６８には下フック７２の取付基部（Ｔ字形基部７２ａ）を、夫々下方から嵌着させ、腕部７１ｂ、７２ｂを共に左方に延在させて先端に鉤部７１ｃ、７２ｃを設けてある（図８（ｃ）の背面図では図８（ａ）の表裏や左右等と逆方向となる）。一対の上下のフック７１、７２との各腕部７１ｂ、７２ｂとは互いに対向して、鉤部７１ｃ、７２ｃとが互いに内側に向き合って設けてある。この腕７１ｂ、７２ｂと先端の鉤部７１ｃ、７２ｃとが互いに共同でベースプレート８０を掛止する。掛止する力は、上下のフック７１，７２の弾性力を適度に設定すればよい。
【００４９】
これらのあご部７１ｃ、７２ｃの大きさは、掛止される相手部材のベースプレート８０の隅肉部の半径（Ｒ）の大きさに対応させる必要があり、この上Ｔ字形溝６７に上フック７１のＴ字形基部７１ａを、下Ｔ字形溝６８に下フック７２のＴ字形基部７２ａを、夫々上Ｔ字形溝６７と下Ｔ字形溝６８とに下方から嵌着させてあり、着脱可能なので、交換容易となっている。
【００５０】
図９は、図７の引戸の施錠部分に本発明に係る第３の解錠防止具６１を用いた図を示す。図９の（ａ）は、第３の解錠防止具６１を用いた引戸の施錠部分の正面図であり、図９の（ｂ）は、図（ａ）の右側面図である。図９を参照して、第３のクレセント形ロック７９の固着されている第５の引戸の竪框７５の面に沿わせ、第３のクレセント形ロック７９のクレセント８３の一端に設けられているレバー８４とベースプレート８０との隙間と、及び、クレセント８３の他端（図７、図９においては下方先端）と第３のクレセント形ロック７９のベースプレート８０との隙間とに、平面部６３の端部を挿着し、互いに対向して設けられている上下一対のフック７１，７２にてベースプレート８０を着脱可能に挟持させ、前記平面部６３と連結する右側面部６４とにより、第３のクレセント形ロック７９のロックアーム８６に被着させるようにしたカバー体からなることを特徴とする第３の解錠防止具６１である。
【００５１】
本発明の第４の実施の形態に係り、図１０は、引戸の施錠部分を示す。図１０の（ａ）は、引戸の施錠部分の正面図であり、図１０の（ｂ）は、図（ａ）の右側面図である。図１０を参照して、第７の引戸の竪框１０５において、第４のクレセント形ロック１０９が、ベースプレート１１０の取付部１１０ｂにてねじ１１１により固着されている。
【００５２】
この第４のクレセント形ロック１０９は、ベースプレート１１０に、クレセント１１３が軸１１２により回動自在に枢支され、このクレセント１１３の一端にはレバー１１４が形成され、クレセント１１３の他端（図１０、図１２においては下方先端）の近傍では前記ベースプレート１１０に設けられているストッパ１１０ａに当接していて停止している。また、クレセント１１３は、レバー１１４により軸１１２（表に現れないで内部にある）を中心に回転させることが出来る。
【００５３】
そして、施錠時には、このクレセント１１３は、第８の引戸の竪框１０６に設けられているクレセント受け部１１８に掛止されており、ロック操作部（ロックダイアル）１１６を矢印のロック設定方向（時計方向回転）に回転させると、クレセント１１３が、ベースプレート１１０内部の機構により固定されて、レバー１１４を操作してもクレセント１１３が固定されていて回転させることが出来ず、クレセント１１３とクレセント受け部１１８との掛止は離脱させ得ない。所謂、二重ロックされている状態である。
【００５４】
そして、今度はロック操作部（ロックボタン）１１６を矢印とは逆方向のロック解除方向（反時計方向）に回転させると、ベースプレート１１０の内部の機構が解放されて、レバー１１４を操作してクレセント１１３が解放されて、回転させることが出来、クレセント１１３とクレセント受け部１１８との掛止は離脱させ得る。後述するように、この引戸の施錠部分に本発明に係る第４の解錠防止具９１を用いるのである。
【００５５】
図１１は、本発明に係る第４の解錠防止具９１を示す。図１１の（ａ）は、本発明に係る第４の解錠防止具９１の正面図である。図１１の（ｂ）は、図１１の（ａ）の右側面図を、図１１の（ｃ）は、図１１の（ａ）の背面図である。
【００５６】
図１１を参照して、第４の解錠防止具９１は、中央部の平面部９３の三方に、左側板９４と、上側板９５と、そして下側板９６とを連設して箱状をなすカバー体９２を形成している。そして、上側板９５に右方からの大きな第１の切り欠き部９５ａ設けてあり、この上側板９５の右方からの大きい切り欠き部９５ａは、後述する第４のクレセント形ロック１０９のレバー１１４との干渉防止のために設けられている。そして、第４の解錠防止具９１には平面部６３と右側面部６４との内側隅部に補強リブが設けられていず、後述するように、第４の解錠防止具９１が使用される場合に、左側板９４の内面と、第４のクレセント形ロック１０９のベースプレート１１０の左端面部との直接の当接をさせている。これにより第４の解錠防止具９１と第４のクレセント形ロック１０９との位置決めがなされている。そして不透明材料製である平面部９３と左側板９４とにより、ロック挿作部（ロックダイヤル１１６）を被着するので、家の中に居る認知症の老人や児童からはロック操作部（ロックダイアル）１１６は覆われているので、第４の解錠防止具９１の取外し操作を知らない認知症の老人や、幼児が外に出たい時に自分では解錠操作ができない。
【００５７】
そして、図１１（ａ）の前記左側板９３の内側面の下方端近傍の上下に２箇所（一対の）、取付溝（上Ｔ字形溝９７と下Ｔ字形溝９８と）を設け、この取付溝（上Ｔ字形溝）９７には上フック１０１の取付基部（Ｔ字形基部１０１ａ）を、取付溝（下Ｔ字形溝）９８には下フック１０２の取付基部（Ｔ字形基部）１０２ａを、夫々下方から嵌着させて、右方に延在させて設けてある（図１１（ｃ）の背面図では図１１（ａ）と表裏や左右等が逆方向となる）。上フック１０１の腕部１０１ｂには、鉤部１０１ｃが内側に向けて設けてあり、これと対向して、下フック１０２の腕部１０２ｂの先端にも、鉤部１０２ｃが内側に向けて設けてある。これらの鉤部１０１ｃ、１０２ｃの大きさは、掛止される相手部材のベースプレート１１０の隅肉部の半径（Ｒ）の大きさに対応させる必要があり、この取付溝（上Ｔ字形溝）９７に上フック１０１の取付基部（Ｔ字形基部）１０１ａを、取付溝部（下Ｔ字形溝）９８に下フック１０２のＴ字形基部１０２ａを、夫々上Ｔ字形溝９７と下Ｔ字形溝９８とに下方から嵌着させてあり、着脱可能なので、交換容易となっている。
【００５８】
また、この腕部１０１ｂ、１０２ｂと鉤部１０１ｃ、１０２ｃとが互いに共同でベースプレート１１０を掛止する。掛止する力は、上下のフック１０１，１０２の弾性力を適度に設定すればよい。そして、上フック１０１は、ベースプレート１１０の取付部１１０ｂとレバー１１４との隙間に挿入される。更に、下フック１０２の長手方向腕部の上面部に係止片１０２ｄと、係止片１０２ｄが上フック１０１方向に突出して設けてある。この係止片１０２ｄは、クレセント１１３の下方先端部とベースプレート１１０との隙間に挿入される。上下フックのこれ等のことと、各腕部１０１ｂ、１０２ｂの先端の鉤部１０１ｃ、１０２ｃの働きによって第４の解錠防止具９１を確実に着脱可能にする。
【００５９】
図１２は、図１０の引戸の施錠部分に本発明に係る第４の解錠防止具９１を使用した図を示す。図１２の（ａ）は、第４の解錠防止具９１を使用した引戸の施錠部分の正面図であり、図１２の（ｂ）は、図１２の（ａ）の右側面図である。図１２を参照して、第４のクレセント形ロック１０９の固着されている第７の引戸の竪框１０５の面に沿わせ、第４のクレセント形ロック１０９のクレセント１１３の一端に設けられているレバー１１４とベースプレート１１０との隙間、及び、クレセント１１３の他端（図１０、図１２においては下方先端）と第４のクレセント形ロック１０９のベースプレート１１０との隙間、とに平面部３を挿着し、互いに対向して設けられている上下のフックにてベースプレート１１０を着脱可能に挟持させ、前記平面部９３と連結する左側面部９４とにより、第４のクレセント形ロック１０９のロック操作部（ロックアーム）１１６に被着させるようにした不透明性素材製のカバー体９２からなることを特徴とする第４の解錠防止具９１である。
【００６０】
上述した様に、第４の解錠防止具９１によれば、二重ロック用のロック操作部であるロックダイアルが見えないように前記平面部とこの平面部に連設された前記一辺側の開口に対向する側面部とにより被着させたことを特徴とする解錠防止具であり、ロック操作部（ロックダイアル）が見えないために認知症の老人や幼児が外に出たい時に自分では解錠操作ができずに、家人に戸を開けてほしいと依頼し、家人により特別な鍵等は必要とせずに、これにより上下一対のフックの腕部と、鉤部とが共同でクレセント形ロックのベースプレートを掛止する解錠防止具を素手にて容易に着脱することができる。そして容易に施錠解錠操作ができ、簡単に戸の開閉が可能であり、且つ、この場合には、認知症の老人も幼児も家人が見守ることが出来るために安心安全である。
【００６１】
本発明の解錠防止具は、不透明な材料の金属や合成樹脂やその組合せ等があるが、その他に木材や竹等の弾性機能を有する種々の材料が考えられ、不透明性は塗装等でもよい。
【００６２】
以上、本発明の実施の形態を説明したが、本発明の範囲は、これに限定されるものではなく、本発明の要旨を逸脱しない範囲内において種々変更を加え得ることは勿論である。
【産業上の利用可能性】
【００６３】
本発明は子育て最中の家屋や認知症の介護老人の施設や一般家庭用の引き違い引戸用の解錠防止具として有用な建築用の部品を製造、販売する産業分野で利用することが出来る。
【図面の簡単な説明】
【００６４】
【図１】図１の（ａ）は、従来の引戸の施錠部分の正面図であり、図１の（ｂ）は、図１の（ａ）の右側面図である。
【図２】図２の（ａ）は、本発明に係る第１の解錠防止具１の正面図である。図２の（ｂ）は、図２の（ａ）の右側面図であり、図２の（ｃ）は、図２の（ａ）の背面図である。
【図３】図３の（ａ）は、本発明の第１の解錠防止具１を使用した引戸の施錠部分の正面図であり、図３の（ｂ）は、図３の（ａ）の右側面図である。
【図４】図４の（ａ）は、従来の引戸の施錠部分の正面図であり、図４の（ｂ）は、図４の（ａ）の右側面図である。
【図５】図５の（ａ）は、本発明の第２の実施態様に係る第２の解錠防止具３１の正面図である。図５の（ｂ）は、図５の（ａ）の右側面図を、図５の（ｃ）は、図５の（ａ）の背面図である。
【図６】図６は、図４の引戸の施錠部分に本発明に係る第２の解錠防止具３１を使用した図を示す。図６の（ａ）は、第２の解錠防止具３１を用いた引戸の施錠部分の正面図であり、図６の（ｂ）は、図（ａ）の右側面図である。
【図７】図７の（ａ）は、引戸の施錠部分の正面図であり、図７の（ｂ）は、図（ａ）の右側面図である。
【図８】図８は、本発明に係る第３の解錠防止具３を示す。図８の（ａ）は、本発明に係る第３の解錠防止具３の正面図である。図８の（ｂ）は、図８の（ａ）の右側面図を、図８の（ｃ）は、図８の（ａ）の背面図である。
【図９】図９は、図７の引戸の施錠部分に本発明に係る第３の解錠防止具６１を用いた図を示す。図９の（ａ）は、第３の解錠防止具６１を用いた引き違い戸の施錠部分の正面図であり、図９の（ｂ）は、図（ａ）の右側面図である。
【図１０】本発明の第４の実施の形態に係り、図１０は、引戸の施錠部分を示す。図１０の（ａ）は、引戸の施錠部分の正面図であり、図１０の（ｂ）は、図（ａ）の右側面図である。
【図１１】図１１は、本発明に係る第４の解錠防止具９１を示す。図１１の（ａ）は、本発明に係る第４の解錠防止具９１の正面図である。図１１の（ｂ）は、図１１の（ａ）の右側面図を、図１１の（ｃ）は、図１１の（ａ）の背面図である。
【図１２】図１２は、図１０の引戸の施錠部分に本発明に係る第４の解錠防止具９１を使用した図を示す。図１２の（ａ）は、第４の解錠防止具９１を使用した引戸の施錠部分の正面図であり、図１２の（ｂ）は、図１２の（ａ）の左側面図である。
【符号の説明】
【００６５】
１    第１の解錠防止具
２    カバー体
３    平面部
４    右側面部
５    上側面部
６    下側面部
７、８    取付溝部
１１    上フック
１２    下フック
１５    第１の引戸の竪框
１６    第２の引戸の竪框
１９    第１のクレセント形ロック
２０    ベースプレート
２１    ねじ
２２    軸
２３    クレセント
２４    レバー
２６    ロック操作部
２８    クレセント受け部
【図１】
2006241712.tif 000003
【図２】
2006241712.tif 000004
【図３】
2006241712.tif 000005
【図４】
2006241712.tif 000006
【図５】
2006241712.tif 000007
【図６】
2006241712.tif 000008
【図７】
2006241712.tif 000009
【図８】
2006241712.tif 000010
【図９】
2006241712.tif 000011
【図１０】
2006241712.tif 000012
【図１１】
2006241712.tif 000013
【図１２】
2006241712.tif 000014